(57)【特許請求の範囲】
【請求項１】
対向した２つの枠と対向した残りの２つの枠を備えた窓枠に、対向した２つの框と対向した残りの２つの框を備えた障子を、辷り出しアームで開閉自在に取付けた辷り出し窓であって、
前記辷り出しアームは、障子の対向した２つの框の外面に取付けた障子取付部材と、この障子取付部材に対して第１の姿勢と第２の姿勢とに亘って揺動自在で、窓枠の対向した２つの枠の内面に取付けられる窓枠取付部材を備え、
前記窓枠取付部材が第１の姿勢の時には障子取付部材と略９０度で障子よりも室内側に突出し、第２の姿勢の時には障子取付部材と略平行に重なり合うようにし、
前記窓枠の対向した２つの枠の内面における残りの一方の枠寄りに、前記窓枠取付部材の長手方向一端部が当接する支持部材をそれぞれ取付け、
前記窓枠の残りの他方の枠の内面における対向した２つの枠寄りに受け部材をそれぞれ取付けると共に、前記窓枠取付部材の長手方向他端部に固定部材をそれぞれ取付け、
前記窓枠取付部材の長手方向一端部と前記支持部材は、その窓枠取付部材が第１の姿勢と第２の姿勢との間で障子よりも室内側に突出した斜めの姿勢で当接し、その当接部を支点として窓枠取付け部材が第２の姿勢まで揺動可能で、その窓枠取付部材が第２の姿勢で面内方向に位置決めし、
前記受け部材と固定部材は、窓枠取付部材を室内外側方向に位置決めすると共に、室内外側方向に動かないように仮固定することを特徴とする辷り出し窓。
【請求項２】
前記受け部材は、固定部材と係合する受け部を有する形状で、
前記固定部材は、前記受け部にスナップ式に係合する形状である請求項１記載の辷り出し窓。
【請求項３】
前記支持部材は、その支持部材と枠内面との間に窓枠取付部材の長手方向一端部が嵌まり合う空間部を形成する形状で、
前記受け部材は、その受け部材と残りの他方の枠の内面との間に窓枠取付部材の長手方向他端部が嵌まり合う受け凹部を形成する形状である請求項２記載の辷り出し窓。
【請求項４】
前記支持部材は軸部とフランジ部を有し、前記窓枠取付部材の長手方向一端部は、その基板の長手方向一端面に開口した凹部を有し、この凹部が前記軸部に揺動自在に嵌め込まれ、かつ基板がフランジ部に接して窓枠取付部材が第２の姿勢まで揺動可能で、その窓枠取付部材が第２の姿勢で面内方向に位置決めするようにし、
前記受け部材は、その受け部材と残りの他方の枠の内面との間に窓枠取付部材の長手方向他端部が嵌まり合う受け凹部を形成する形状である請求項２記載の辷り出し窓。
【請求項５】
前記支持部材は、取付部と、この取付部に室内外側方向に揺動自在に取付けた揺動部を有し、
前記窓枠取付部材の長手方向一端部が、前記揺動部の先端部に嵌まり合う断面形状で、窓枠取付部材が第２の姿勢まで揺動可能で、その窓枠取付部材が第２の姿勢で面内方向に位置決めするようにし、
前記受け部材は、その受け部材と残りの他方の枠の内面との間に窓枠取付部材の長手方向他端部が嵌まり合う受け凹部を形成する形状である請求項２記載の辷り出し窓。
【請求項６】
対向した２つの枠と対向した残りの２つの枠を備えた窓枠に、対向した２つの框と対向した残りの２つの框を備えた障子を、辷り出しアームで開閉自在に取付けた辷り出し窓であって、
前記辷り出しアームは、障子の対向した２つの框の外面に取付けた障子取付部材と、この障子取付部材に対して第１の姿勢と第２の姿勢とに亘って揺動自在で、窓枠の対向した２つの枠の内面に取付けられる窓枠取付部材を備え、
前記窓枠取付部材が第１の姿勢の時には障子取付部材と略９０度で障子よりも室内側に突出し、第２の姿勢の時には障子取付部材と略平行に重なり合うようにし、
前記窓枠の対向した２つの枠の内面に戸先支持部材と吊元支持部材がそれぞれ取付けられ、
前記障子の対向した２つの框の外面にそれぞれ取付けた辷り出しアームの窓枠取付部材に、その窓枠取付部材が第２の姿勢で前記戸先支持部材、吊元支持部材にスナップ式に係合し面内方向位置決め及び室内外側方向位置決めする２つの固定部材が取付けてあることを特徴とする辷り出し窓。
【発明の詳細な説明】
【０００１】
【発明の属する技術分野】
本発明は、縦辷り出し窓、横辷り出し窓などの障子を窓枠に辷り出しアームで室内外方向に開閉自在に取付けた辷り出し窓に関する。
【０００２】
【従来の技術】
特許第２５４６６２０号公報に示す縦辷り出し窓が提案されている。
この縦辷り出し窓は窓枠と、この窓枠の上下枠に取付けた簡易取付ピースと、障子と、この障子の上下框に取付けた上下ステー（辷り出しアーム）を備え、この上下ステーの取付部材を簡易取付ピースに面内方向から嵌合し、その状態で取付部材を仮止め用の捩子で上下枠に仮止めし、その後に取付部材を上下枠に本止めして窓枠に障子を取付けるものである。
前述の縦辷り出し窓は、単独の作業者が障子を持って仮止め作業を行うことができ、引き続いて単独の作業者で障子を窓枠に取付けできる。
【０００３】
【発明が解決しようとする課題】
前述の上下ステーは、例えば図２１に示すように、障子取付部材１と複数のリンク２と窓枠取付部材３を備えたリンク機構で、その窓枠取付部材３が障子取付部材１に対して揺動する形状である。障子取付部材１が障子４の框５に取付けられ、窓枠取付部材３が框５と平行で框５の見込み（室内外寸法）内に収まる第１の姿勢と框５と斜めで框５よりも突出した第２の姿勢とに亘って揺動する。
【０００４】
障子４を窓枠６に取付けるには図２１に示すように、窓枠取付部材３を窓枠６の上下枠７と平行として窓枠６内に入れ、障子４とともにその窓枠取付部材３を面内方向に上下枠７と平行方向に移動することで上下枠７に取付けた簡易取付ピース８に面内方向に嵌合するので、障子４を取付ける時に障子４は窓枠６と略直角で、窓枠６の室外側に障子４が大きく突出する。
このために、建物の外部に組み立てた足場を利用して障子４を取付ける場合に、図２１に仮想線で示す足場９と障子４が干渉し、障子４を取付けできないことがある。
【０００５】
そこで、本発明は前述の課題を解決できるようにした辷り出し窓を提供することを目的とする。
【０００６】
【課題を解決するための手段】
第１の発明は、対向した２つの枠と対向した残りの２つの枠を備えた窓枠に、対向した２つの框と対向した残りの２つの框を備えた障子を、辷り出しアームで開閉自在に取付けた辷り出し窓であって、
前記辷り出しアームは、障子の対向した２つの框の外面に取付けた障子取付部材と、この障子取付部材に対して第１の姿勢と第２の姿勢とに亘って揺動自在で、窓枠の対向した２つの枠の内面に取付けられる窓枠取付部材を備え、
前記窓枠取付部材が第１の姿勢の時には障子取付部材と略９０度で障子よりも室内側に突出し、第２の姿勢の時には障子取付部材と略平行に重なり合うようにし、
前記窓枠の対向した２つの枠の内面における残りの一方の枠寄りに、前記窓枠取付部材の長手方向一端部が当接する支持部材をそれぞれ取付け、
前記窓枠の残りの他方の枠の内面における対向した２つの枠寄りに受け部材をそれぞれ取付けると共に、前記窓枠取付部材の長手方向他端部に固定部材をそれぞれ取付け、
前記窓枠取付部材の長手方向一端部と前記支持部材は、その窓枠取付部材が第１の姿勢と第２の姿勢との間で障子よりも室内側に突出した斜めの姿勢で当接し、その当接部を支点として窓枠取付け部材が第２の姿勢まで揺動可能で、その窓枠取付部材が第２の姿勢で面内方向に位置決めし、
前記受け部材と固定部材は、窓枠取付部材を室内外側方向に位置決めすると共に、室内外側方向に動かないように仮固定することを特徴とする辷り出し窓である。
【０００７】
第２の発明は、第１の発明において前記受け部材は、固定部材と係合する受け部を有する形状で、
前記固定部材は、前記受け部にスナップ式に係合する形状である辷り出し窓である。
【０００８】
第３の発明は、第２の発明において前記支持部材は、その支持部材と枠内面との間に窓枠取付部材の長手方向一端部が嵌まり合う空間部を形成する形状で、
前記受け部材は、その受け部材と残りの他方の枠の内面との間に窓枠取付部材の長手方向他端部が嵌まり合う受け凹部を形成する形状である辷り出し窓である。
【０００９】
第４の発明は、第２の発明において前記支持部材は軸部とフランジ部を有し、前記窓枠取付部材の長手方向一端部は、その基板の長手方向一端面に開口した凹部を有し、この凹部が前記軸部に揺動自在に嵌め込まれ、かつ基板がフランジ部に接して窓枠取付部材が第２の姿勢まで揺動可能で、その窓枠取付部材が第２の姿勢で面内方向に位置決めするようにし、
前記受け部材は、その受け部材と残りの他方の枠の内面との間に窓枠取付部材の長手方向他端部が嵌まり合う受け凹部を形成する形状である辷り出し窓である。
第５の発明は、第２の発明において前記支持部材は、取付部と、この取付部に室内外側方向に揺動自在に取付けた揺動部を有し、
前記窓枠取付部材の長手方向一端部が、前記揺動部の先端部に嵌まり合う断面形状で、窓枠取付部材が第２の姿勢まで揺動可能で、その窓枠取付部材が第２の姿勢で面内方向に位置決めするようにし、
前記受け部材は、その受け部材と残りの他方の枠の内面との間に窓枠取付部材の長手方向他端部が嵌まり合う受け凹部を形成する形状である辷り出し窓である。
第６の発明は、対向した２つの枠と対向した残りの２つの枠を備えた窓枠に、対向した２つの框と対向した残りの２つの框を備えた障子を、辷り出しアームで開閉自在に取付けた辷り出し窓であって、
前記辷り出しアームは、障子の対向した２つの框の外面に取付けた障子取付部材と、この障子取付部材に対して第１の姿勢と第２の姿勢とに亘って揺動自在で、窓枠の対向した２つの枠の内面に取付けられる窓枠取付部材を備え、
前記窓枠取付部材が第１の姿勢の時には障子取付部材と略９０度で障子よりも室内側に突出し、第２の姿勢の時には障子取付部材と略平行に重なり合うようにし、
前記窓枠の対向した２つの枠の内面に戸先支持部材と吊元支持部材がそれぞれ取付けられ、
前記障子の対向した２つの框の外面にそれぞれ取付けた辷り出しアームの窓枠取付部材に、その窓枠取付部材が第２の姿勢で前記戸先支持部材、吊元支持部材にスナップ式に係合し面内方向位置決め及び室内外側方向位置決めする２つの固定部材が取付けてあることを特徴とする辷り出し窓である。
【００１０】
【作  用】
第１の発明によれば、窓枠取付部材を斜めの姿勢として、作業者が手で持ち障子が窓枠と略平行とすることで、窓枠取付部材が窓枠と斜めの状態となり、この状態で障子を移動することで窓枠取付部材の長手方向一端部を支持部材に接する。
この後に障子を移動することで窓枠取付部材を支持部材との当接部を支点として揺動して窓枠と略平行の状態とすることで障子取付部材が第２の姿勢となり、かつ面内方向に位置決めできる。
これと同時に受け部材と固定部材で窓枠取付部材を室内外側方向に位置決めし、室内外側方向に動かないように仮固定できる。
このようであるから、障子を窓枠と略平行として窓枠取付部材を窓枠に仮固定でき、窓枠の室外側から障子を足場を利用して取付ける場合に、その足場板等が邪魔にならずに障子を取付けできる。
【００１１】
第２の発明によれば、窓枠取付部材を支持部材を支点として揺動することで、固定部材が受け部材の受け部にスナップ式に係合するから、窓枠取付部材の仮固定が容易である。
【００１２】
第３の発明によれば、窓枠取付部材を仮固定した状態で、窓枠取付部材の長手方向一端部が支持部材と枠による空間部、長手方向他端部が受け部材と枠による受け凹部にそれぞれ嵌まり合って枠からの浮き上がりが防止される。
したがって、障子を開放して本固定する時に障子が安定した状態である。
【００１３】
第６の発明によれば、窓枠取付部材を第２の姿勢とし、障子を窓枠と略平行として作業者が手で持ち、そのまま窓枠に向けて移動することで固定部材が戸先支持部材、吊元支持部材にスナップ式に係合し、窓枠取付部材を窓枠に面内方向位置決め及び室内外側方向位置決めして仮固定できる。
このようであるから、窓枠の室外側から障子を足場を利用して取付ける場合に、その足場板等が邪魔にならずに障子を取付けできる。
【００１４】
【発明の実施の形態】
図１に示すように、窓枠１０は対向した２つの枠（以下上枠１１、下枠１２という）と対向した残りの２つの枠（以下左右の縦枠１３という）で方形状である。
前記上枠１１の内面１１ａ、下枠１２の内面１２ａにおける一方の縦枠１３寄りの所定位置に支持部材１４がそれぞれ取付けてある。
前記他方の縦枠１３の内面１３ａにおける上下端部寄りに受け部材１５がそれぞれ取付けてある。
障子３０は対向した２つの框（以下上框３１、下框３２という）と対向した２つの框（以下左右の縦框３３，３３という）で方形状で、その内部に図示しないガラス等が装着されている。
前記上框３１の外面３１ａ、下框３２の外面３２ａに辷り出しアーム３４がそれぞれ取付けてある。
【００１５】
前記上枠１１と左右の縦枠１３は図２と図３に示すように、アルミ等の金属製の室外側部材１１ｂ，１３ｂの室内側部に樹脂等の断熱材製の室内側部材１１ｃ，１３ｃを取付けてある。
前記下枠１２は金属製の室外側部材１２ｂと室内側部材１２ｃを断熱材１２ｄで連結し、その室内側部材１２ｃの室内側に樹脂等の断熱材製のカバー材１２ｆが取付けてある。
前記各室内側部材１１ｃ，１２ｃ，１３ｃは室外側部材１１ｂ，１２ｂ，１３ｂよりも内側に突出している。
【００１６】
前記左右の縦枠１３の室外側部材３１ｂは気密材装着部１３ｄと連結用内向片１３ｅを備えている。
この気密材装着部１３ｄと連結用内向片１３ｅの上下部分を切欠き、上枠１１、下枠１２を突き当てて連結してある。
左右の縦枠１３の室内側部材１３ｃは、上枠１１の室内側部材１１ｃ、下枠１２の室内側部材１２ｃに接し、各室内側部材１１ｃ，１２ｃ，１３ｃの気密材装着部（蟻溝）１１ｄ，１２ｅ，１３ｆが四周連続するようにしてある。
【００１７】
前記各框は図２、図３に示すようにアルミ等の金属製の室外側部材３１ｂ，３２ｂ，３３ａの室内側部に樹脂等の断熱材製の室内側部材３１ｃ，３２ｃ，３３ｂが取付けてある。
前記上框３１、下框３２、縦框３３の室外側部材３１ｂ，３２ｂ，３３ａの室外側部には外向片３１ｄ，３２ｄ，３３ｃが一体的に設けてあり、上框３１、下框３２の外向片３１ｄ，３２ｄは上面３１ａ、下面３２ａよりも外方に突出して辷り出しアーム３４が室外から見えないようにしてある。
【００１８】
前記支持部材１４は図４と図５（ａ），（ｂ），（ｃ）に示すように、所定の長さ（面内方向寸法）と所定の幅（室内外側方向寸法）と所定の厚さを有する略直方体形状で、その長さ方向一側下部の凹陥部１６と、その凹陥部１６と連続した面内方向位置決め部１７と、その面内方向位置決め部１７と連続した面外方向（室内外側方向）位置決め部１８を有する。
前記凹陥部１６は下面１４ａと長さ方向一側面１４ｂに開口し、その底面（長さ方向他側の縦面）は第１底面１６ａと第２底面１６ｂで平面略鉤形状で、その第１底面１６ａが挿入ガイド面で、第２底面１６ｂがストッパ面である。前記凹陥部１６の上面１６ｃは、水平に対して底面に向けて順次低くなるように傾斜している。
前記面内方向位置決め部１７は第２底面１６ｂと連続した面内方向に一側に向う平坦面で、面外方向位置決め部１８は面内方向位置決め部１７と略直角に連続した面外方向一側に向う平坦面である。
前記支持部材１４の面内方向他側部（凹陥部１６以外の部分）に取付用孔１９と突起２０が設けてあり、凹陥部１６に開口する透孔２１が形成してある。
【００１９】
前記支持部材１４は図５（ｂ）仮想線と図６に示すように、上枠１１、下枠１２の長手方向（面内方向）所定の位置に形成した孔２２に突起２０を嵌合すると共に、取付用孔１９からビス２３を螺合して面内方向の所定位置に取付ける。
前記上枠１１、下枠１２の内面１１ａ，１２ａと支持部材１４の凹陥部１６とで空間部２４を形成し、この空間部２４は斜めに室外に向う。
【００２０】
前記受け部材１５は図７に示すように、取付部１５ａと受け部１５ｂと押え部１５ｃで平面略コ字形状である。
前記取付部１５ａは縦板状で、取付用孔２５を有する。
前記受け部１５ｂは縦板状の取付部１５ａの面外方向一端部に略９０度に一体的に設けた内向きの縦板状である。
前記押え部１５ｃは縦板状の取付部１５ａの面外方向他側部に略９０度に一体的に設けた内向きの縦板２６と、この縦板２６と連続した略水平の横板２７と、この横板２７の面外方向一端部と連続した斜めの横板２８を備え、その縦板２６が面外方向位置決め面、横板２７が押え面、斜め横板２８がガイド面を形成する。
なお、下の受け部材１５は、縦板２６と連続して面内方向に向う縦片２９を有し、その縦片２９が面外方向位置決め面である。
【００２１】
前記受け部材１５は図７に仮想線で示す縦枠１３の室外側部材１３ｂの内面１３ａに取付けられる。例えば気密材装着部１３ｄと連結用内向片１３ｅとの間の部分に、その取付用孔２５を挿通した固着具で取付けられる。
上の受け部材１５の縦板２６が図２に示す上枠１１の室内側部材１１ｃの室外側面に接し、下の受け部材１５の縦片２９が下枠１２の室内側部材１２ｃの室外側面に接して上下の受け部材１５は面外方向に同一位置として取付けられる。
【００２２】
図８に示すように、前記上下の受け部材１５は受け部１５ｂが室外に向う。上枠１１の内面１１ａと押え部１５ｃとの間に室外に開口した受け凹部１５ｄを形成すると共に、下枠１２の内面１２ａと押え部１５ｃとの間に室外に開口した受け凹部１５ｄを形成する。
【００２３】
前記辷り出しアーム３４は図９と図１０に示すように、障子取付部材３５、長尺な第１リンク３６、短尺な第２リンク３７、窓枠取付部材３８を備え、第１リンク３６が障子取付部材３５と窓枠取付部材３８にピン３９で揺動自在に連結されている。
第２リンク３７は障子取付部材３５とスライダー４０にピン４１で揺動自在に連結され、そのスライダー４０は窓枠取付部材３８に沿って長手方向に移動する。
【００２４】
これにより、窓枠取付部材３８は障子取付部材３５に対して図９に示す略９０度となった第１の姿勢と、図１０に示すように略平行に重なり合う第２の姿勢とに亘って略９０度の範囲で揺動する。
前記障子取付部材３５と窓枠取付部材３８が略平行に重なり合う場合に、図１０に示すように障子取付部３５、第１・第２リンク３６，３７は窓枠取付部材３８内に位置して長手方向両端部から突出しない。
【００２５】
前記障子取付部材３５が上框３１、下框３２の内面３１ａ，３２ａに取付けられ、窓枠取付部材３８が上枠１１、下枠１２の内面１１ａ，１２ａに取付けられる。
なお、図９と図１０は下枠１２と下框３２に亘って取付けられる下の辷り出しアーム３４を示し、上枠１１と上框３２に亘って取付けられる上の辷り出しアーム３４は上下反転した形状である。
【００２６】
前記窓枠取付部材３８は基板３８ａと、その幅方向一端部に設けたＬ字板３８ｂと、基板３８ａの幅方向他端部に設けた縦板３８ｃで断面略コ字形状の長尺材である。
この窓枠取付部材３８の長手方向一端部は前記空間部２４内に挿入可能で、かつ凹陥部１６に当接する。基板３８ａの長手方向に間隔を置いて複数の固定用孔４２を有する。
スライダー４０は基板３８ａとＬ字板３８ｂとの間及び縦板３８ｃに沿って長手方向に摺動する。
【００２７】
前記窓枠取付部材３８の長手方向他端部に第２リンク３７を保持する支持体４３が固着具４４で固着してある。この支持体４３は樹脂製でその表面と第２リンク３７が接して保持する。
前記支持体４３の裏面に固定部材４５がピン４６で揺動自在に取付けてある。この固定部材４５は弾性部材４７で支持体４３よりも突出した突出位置に揺動付勢してある。支持体４３に設けたピン４８が固定部材４５の円弧状の長孔４９に挿通して突出位置に保持している。
前記固定部材４５は突出位置で前記受け部材１５の受け部１５ｂにスナップ式に係合する。
前記支持体４３と固定部材４５（窓枠取付部材３８の長手方向他端部）が前記受け凹部１５ｄに嵌まり合う。
【００２８】
次に障子３０を窓枠１０に取付ける手順を説明する。
図１１に示すように、窓枠１０に対して障子３０を略平行とし、辷り出しアーム３４の窓枠取付部材３８を障子３０（上下框）に対して斜めの姿勢として障子３０（上下框）よりも室内側に突出させる。
障子３０を作業者が手で持ち、窓枠取付部材３８を斜め室内側に向けて矢印ａで示すように移動し、その長手方向一端部を支持部材１４と上下枠内面との間の空間部２４に挿入して図１２に示すように長手方向一端面３８ｄを凹陥部１６の第２底面１６ｂに当接すると共に、縦板３８ｃ（幅方向一端面）を第１底面１６ａに当接する。この時、凹陥部１６の第１底面１６ａが挿入ガイドの役目を果たし、スムーズに挿入できる。
【００２９】
図１２に示す状態から障子３０を室内側に向けて移動し、窓枠取付部材３８を、その長手方向一端面３８ｄと第２底面１６ｂとの接触部を支点として矢印ｂで示すように室内側に向けて揺動する。
前記固定部材４５が受け部材１５の受け部１５ｂに接して支持体４３内に収納する方向に揺動し、さらに揺動することで図１３に示すように固定部材４５が受け部材１５の受け部１５ｂにスナップ式に係合して固定部材４５が受け部材１５に室内外側方向に移動しないように仮固定されると共に、窓枠取付部材３８が障子取付部材３５と重なり合って障子３０が窓枠１０に仮取付けされる。
【００３０】
これと同時に窓枠取付部材３８の長手方向一端面３８ｄが支持部材１４の面内方向位置決め部１７に当接して面内方向に位置決めされる。
また、窓枠取付部材３８の長手方向一端寄りの幅方向一端面（Ｌ字板３８ｂ）、つまり室内側面が支持部材１４の室内外側方向位置決め部１８に当接して窓枠取付部材３８の長手方向一端部が室内外側方向に位置決めされる。
また、支持体４３の室内側面（窓枠取付部材３８の長手方向他端寄りの室内側面）が受け部材１５の押え部１５ｃの縦板２６に当接して窓枠取付部材３８の長手方向他端部が室内外側方向に位置決めされる。
前述のように、窓枠取付部材３８は窓枠１０に面内方向及び室内外側方向に位置決めして室内外側方向に動かないように仮固定される。
【００３１】
しかも、窓枠取付部材３８の長手方向一端部は支持部材１４と上下枠内面との間の空間部２４に嵌まり合って上下方向に動かないように（浮き上がり防止）支持される。
窓枠取付部材３８の長手方向他端部（支持体４３）は受け部材１５の押え部１５ｃと上下枠内面との間の受け凹部１５ｄに嵌まり合って上下方向に動かないように（浮き上がり防止）支持される。
前述のように、窓枠取付部材３８は窓枠１０に上下方向に動かないように仮固定される。
【００３２】
図１４に示すように、障子３０を室外側に若干開放して障子取付部材３５を揺動し、窓枠取付部材３８の固定用孔４２からビスを上下枠に螺合して窓枠取付部材３８を上下枠に本固定する。
この時、窓枠取付部材３８が窓枠１０に対して上下方向に動かないので、そのビス止め作業が容易である。
【００３３】
次に支持部材１４の他の実施の形態を説明する。
図１５に示すように、凹陥部１６と面内方向位置決め部１７を有する支持部材１４とする。
この場合には前述と同様に窓枠取付部材３８を矢印ａ方向に移動して支持部材１４の凹陥部１６内に挿入し、その状態で矢印ｂで示すように室内側に向けて揺動して仮固定する。
【００３４】
図１６に示すように、支持部材１４を軸部１４ｃとフランジ部１４ｄを有する形状とし、窓枠取付部材３８の基板３８ａに長手方向一端面３８ｄに開口した略半円形の凹部３８ｅを形成する。
窓枠取付部材３８を矢印ａ方向に移動して凹部３８ｅを軸部１４ｃに嵌め込合わせ、この状態で矢印ｂ方向に揺動する。
この場合には、基板３８ａがフランジ部１４ｄに接することで窓枠取付部材３８が上下枠に対して上下方向に動かないように仮支持される。
【００３５】
図１７に示すように、支持部材１４を取付部１４ｅと、この取付部１４ｅに室内外側方向に揺動自在に取付けた揺動部１４ｆを有し、その揺動部１４ｆの先端部１４ｇを窓枠取付部材３８に嵌まり合う断面形状としてある。
窓枠取付部材３８を矢印ａ方向に移動して揺動部１４ｆの先端部１４ｇに嵌め合わせる。
この状態で窓枠取付部材３８を揺動部１４ｆとともに矢印ｂ方向に揺動する。
【００３６】
すなわち、支持部材１４は、辷り出しアーム３４の窓枠取付部材３８が窓枠１０と平行に対して斜め方向に移動することで接し、その状態で窓枠取付部材３８が窓枠１０と略平行となるまで室内外側方向に揺動可能で、その窓枠取付部材３８が窓枠１０と略平行の状態で面内方向位置決めするものである。
【００３７】
また、受け部材１５と固定部材４５は前述のものに限ることはなく、縦枠１３に、窓枠取付部材３８の長手方向他端部が接して室内外方向の位置決めをする内向突片を一体的に設けて受け部材とし、固定部材４５を、窓枠取付部材３８を内向突片に固定するビスとしても良い。この場合には仮固定と同時に本固定することが可能である。前記内向突片は気密材装着部１３ｄを用いても良い。受け部材として、縦枠１３に固定部材４５が係合する溝部又は孔を設けても良い。
すなわち、受け部材１５と固定部材４５は窓枠取付部材３８を室内外側方向に位置決めすると共に、室内外側方向に動かないように仮固定するものである。
【００３８】
次に本発明の第２の実施の形態を説明する。
図１８に示すように、窓枠１０の上枠１１内面１１ａと下枠１２内面１２ａに戸先側支持部材６０と吊元側支持部材７０をそれぞれ取付ける。
障子３０の上框３１外面３１ａと下框３２外面３２ａに取付けた辷り出しアーム３４の窓枠取付部材３８における長手方向両端部に前述と同様な固定部材４５をそれぞれ取付け、窓枠取付部材３８を障子取付部材３５と略平行に重なり合う時に、その各固定部材４５が上框外面３１ａ、下框外面３２ａよりも上下に突出するようにする。
【００３９】
前記戸先側支持部材６０、吊元側支持部材７０を図１９に示すように固定部材４５が係合する受け部６１，７１、固定部材４５が接して室内外側方向位置決めする第１位置決め面６２，７２、支持体４３が接して面内方向位置決めする第２位置決め面６３，７３を有する形状とする。
【００４０】
図１８に示すように、窓枠取付部材３８を障子取付部材３５と略平行に重なり合った状態とし、作業者Ａが障子３０を手で持ち、窓枠１０と平行として窓枠１０に向けて移動することで各固定部材４５を戸先側支持部材６０、吊元側支持部材７０の受け部６１，７１に係合して仮固定すると共に、面内方向、室内外側方向位置決めする。
【００４１】
このようにすれば、障子３０を持って窓枠１０に向けて移動することで仮取付けできるから、その取付け作業が容易である。
【００４２】
前記戸先側支持部材６０、吊元側支持部材７０を図２０に示すように下面と一側面に開口した略鉤形の凹陥部６４，７４を有し、上下枠内面との間に空間部６５，７５を形成する形状としても良い。
このようにすれば、窓枠取付部材３８の長手方向両端部が各支持部材６０，７０と上下枠内面との間の空間部６５，７５に嵌まり込んで上下方向の動き（浮き上がり）が防止されるので、仮固定した後に障子を開放して本固定する作業が容易である。
【００４３】
以上の実施の形態は縦辷り出し窓を示しているが、横辷り出し窓の場合には障子取付部材３５を左右の縦框３３の外面に取付け、窓枠取付部材３８を左右の縦枠１３に取付ければ良い。すなわち、支持部材１４を左右の縦枠１３に設け、受け部材１５を上枠１１に設ければ良い。
【００４４】
【発明の効果】
請求項１に係る発明によれば、窓枠取付部材を斜めの姿勢として、作業者が手で持ち障子が窓枠と略平行とすることで、窓枠取付部材が窓枠と斜めの状態となり、この状態で障子を移動することで窓枠取付部材の長手方向一端部を支持部材に接する。
この後に障子を移動することで窓枠取付部材を支持部材との当接部を支点として揺動して窓枠と略平行の状態とすることで障子取付部材が第２の姿勢となり、かつ面内方向に位置決めできる。
これと同時に受け部材と固定部材で窓枠取付部材を室内外側方向に位置決めし、室内外側方向に動かないように仮固定できる。
このようであるから、障子を窓枠と略平行として窓枠取付部材を窓枠に仮固定でき、窓枠の室外側から障子を足場を利用して取付ける場合に、その足場板等が邪魔にならずに障子を取付けできる。
【００４５】
請求項２に係る発明によれば、窓枠取付部材を支持部材を支点として揺動することで、固定部材が受け部材の受け部にスナップ式に係合するから、窓枠取付部材の仮固定が容易である。
【００４６】
請求項３に係る発明によれば、窓枠取付部材を仮固定した状態で、窓枠取付部材の長手方向一端部が支持部材と枠による空間部、長手方向他端部が受け部材と枠による受け凹部にそれぞれ嵌まり合って枠からの浮き上がりが防止される。
したがって、障子を開放して本固定する時に障子が安定した状態である。
【００４７】
請求項６に係る発明によれば、窓枠取付部材を第２の姿勢とし、障子を窓枠と略平行として作業者が手で持ち、そのまま窓枠に向けて移動することで固定部材が戸先支持部材、吊元支持部材にスナップ式に係合し、窓枠取付部材を窓枠に面内方向位置決め及び室内外側方向位置決めして仮固定できる。
このようであるから、窓枠の室外側から障子を足場を利用して取付ける場合に、その足場板等が邪魔にならずに障子を取付けできる。
【図面の簡単な説明】
【図１】本発明の第１の実施の形態を示す窓枠と障子を取り外した状態の概略斜視図である。
【図２】窓枠に障子を取付けた状態の縦断面図である。
【図３】窓枠に障子を取付けた状態の横断面図である。
【図４】支持部材の斜視図である。
【図５】（ａ）支持部材の平面図である。
（ｂ）支持部材の正面図である。
（ａ）支持部材の側面図である。
【図６】上下枠に支持部材を取付けた状態の外観図である。
【図７】受け部材の斜視図である。
【図８】受け部材を取付けた状態の外観図である。
【図９】辷り出しアームの揺動状態の平面図である。
【図１０】辷り出しアームの重ね合わせ状態の正面図である。
【図１１】障子取付け作業の説明図である。
【図１２】障子取付け作業の説明図である。
【図１３】障子取付け作業の説明図である。
【図１４】障子取付け作業の説明図である。
【図１５】支持部材の第２の実施の形態を示す平面図である。
【図１６】支持部材の第３の実施の形態を示す斜視図である。
【図１７】支持部材の第４の実施の形態を示す斜視図である。
【図１８】本発明の第２の実施の形態を示す窓枠と障子を取り外した状態の概略斜視図である。
【図１９】窓枠と障子の概略平面図である。
【図２０】戸先支持部材、吊元支持部材の他の実施の形態を示す斜視図である。
【図２１】従来例の平面図である。
【符号の説明】
１０…窓枠
１１…上枠
１２…下枠
１３…縦枠
１４…支持部材
１５…受け部材
１５ａ…取付部
１５ｂ…受け部
１５ｃ…押え部
１５ｄ…受け凹部
１６…凹陥部
２４…空間部
３０…障子
３１…上框
３２…下框
３３…縦框
３４…辷り出しアーム
３５…障子取付部材
３６…第１リンク
３７…第２リンク
３８…窓枠取付部材
４５…固定部材
６０…戸先支持部材
７０…吊元支持部材
【図１】
0003616919.tif 000002
【図２】
0003616919.tif 000003
【図３】
0003616919.tif 000004
【図４】
0003616919.tif 000005
【図５】
0003616919.tif 000006
【図６】
0003616919.tif 000007
【図７】
0003616919.tif 000008
【図８】
0003616919.tif 000009
【図９】
0003616919.tif 000010
【図１０】
0003616919.tif 000011
【図１１】
0003616919.tif 000012
【図１２】
0003616919.tif 000013
【図１３】
0003616919.tif 000014
【図１４】
0003616919.tif 000015
【図１５】
0003616919.tif 000016
【図１６】
0003616919.tif 000017
【図１７】
0003616919.tif 000018
【図１８】
0003616919.tif 000019
【図１９】
0003616919.tif 000020
【図２０】
0003616919.tif 000021
【図２１】
0003616919.tif 000022